(57)【要約】【課題】シーツの交換が容易で、ペットのしつけの状況に合せ、シーツの上面に配置するメッシュ部材の着脱が可能なペット用トイレの提供を目的とする。【解決手段】周縁付近に立設部を有するトイレ本体と、トイレ本体の立設部に装着する枠部材と、当該枠部材に取り付けるメッシュ部材とを備え、メッシュ部材は係止部を有し、枠部材は被係止部を有し、当該メッシュ部材の係止部が枠部材の被係止部に着脱自在に係止し、トイレ本体に尿吸収性のシーツを載置し、当該シーツをメッシュ部材又は／及び枠部材で固定するものであることを特徴とする。【選択図】  図１
2010166872.tif 000002
【特許請求の範囲】
【請求項１】
周縁付近に立設部を有するトイレ本体と、
トイレ本体の立設部に装着する枠部材と、
当該枠部材に取り付けるメッシュ部材とを備え、
メッシュ部材は係止部を有し、枠部材は被係止部を有し、当該メッシュ部材の係止部が枠部材の被係止部に着脱自在に係止し、
トイレ本体に尿吸収性のシーツを載置し、当該シーツをメッシュ部材又は／及び枠部材で固定するものであることを特徴とするペット用トイレ。
【請求項２】
メッシュ部材の係止部は、当該メッシュ部材の周縁部付近から外側に向けて突出した爪部であり、枠部材の被係止部は内周側に突出した被係止片であることを特徴とする請求項１記載のペット用トイレ。
【請求項３】
メッシュ部材は周縁部付近から垂下させた垂下片の先端部付近に前記爪部を有し、且つ当該爪部より外周側に載置リブを有し、
枠部材は内周側から下方に向けて延在した垂下部を有し、当該垂下部の下部付近に内周側に突出した前記被係止片を有し、
メッシュ部材に設けた載置リブが枠部材の被係止片の上面側に載置し、メッシュ部材に設けた爪部が枠部材の被係止片の下面側に係止することを特徴とする請求項２記載のペット用トイレ。
【請求項４】
トイレ本体は、周縁に設けた立設部と、当該立設部の内側に設けたシーツ載置部との間に、凹部を有し、当該凹部の底面はシーツ載置部の上面より低いことを特徴とする請求項３記載のペット用トイレ。
【請求項５】
トイレ本体及び枠部材の外形は、平面視長辺と短辺との略矩形形状であり、メッシュ部材は枠部材の内周形状に対応した平面視略矩形形状で且つ長辺と短辺とにそれぞれ少なくとも１つ以上の係止部を有していることを特徴とする請求項２〜４のいずれかに記載のペット用トイレ。
【発明の詳細な説明】
【技術分野】
【０００１】
本発明は、ペットが排泄した尿等を吸収処理するためのペット用トイレに関する。
【背景技術】
【０００２】
従来から、犬等のペットのトイレのしつけに尿吸収性のシーツを敷設したペット用トイレが用いられている。
ペットのしつけが安定するまでは、シーツが掻きむしられるのを防止する必要がある。
特許文献１には、シーツの押え枠に格子状のカバー部を一体に設けたペット用トイレを開示するが、ペットのしつけが完了すると、格子状のカバー部が不要であるのに、カバー部を取り外すことができないという問題があった。
また、特許文献２及び３はシーツの上に尿が通過する複数の隙間部を有するカバーや網状シート（メッシュ部材）を設け、押え部材や枠体で固定するペット用トイレを開示するが、枠部材とメッシュ部材とが分離しているので、シーツ交換時に手間がかかる問題があった。
【先行技術文献】
【特許文献】
【０００３】
【特許文献１】特許第４１２６３１１号公報
【特許文献２】特開２００８−２９３６０号公報
【特許文献３】特開２００５−２８７３６７号公報
【発明の概要】
【発明が解決しようとする課題】
【０００４】
本発明は、シーツの交換が容易で、ペットのしつけの状況に合せ、シーツの上面に配置するメッシュ部材の着脱が可能なペット用トイレの提供を目的とする。
【課題を解決するための手段】
【０００５】
本発明に係るペット用トイレは、周縁付近に立設部を有するトイレ本体と、トイレ本体の立設部に装着する枠部材と、当該枠部材に取り付けるメッシュ部材とを備え、
メッシュ部材は係止部を有し、枠部材は被係止部を有し、当該メッシュ部材の係止部が枠部材の被係止部に着脱自在に係止し、トイレ本体に尿吸収性のシーツを載置し、当該シーツをメッシュ部材又は／及び枠部材で固定するものであることを特徴とする。
メッシュ部材を枠部材に着脱自在に取り付けたことにより、シーツを取り替える場合にトイレ本体から枠部材を取り外すと、そのままメッシュ部材が枠部材とともに取り外せるのでシーツの交換が容易であり、ペットのトイレのしつけが完了し、メッシュ部材が不要になった場合には、枠部材とメッシュ部材は、一体物ではないので、メッシュ部材を使用しないペット用トイレとして使用できる。
ここで、メッシュ部材は係止部を有し、枠部材は被係止部を有し、と表現したのは、メッシュ部材を枠部材に着脱自在に取り付けることができれば、メッシュ部材と枠部材のどちらに突起部を設けてもよい趣旨である。
メッシュ部材は尿が通過する隙間を有しているものであれば、格子状でも網状でも形状は問わない。
また、トイレ本体の周縁付近に立設部を設けたのは、ペットにトイレとして認識させるためである。
【０００６】
メッシュ部材を枠部材に着脱自在に取り付ける構造例としては、メッシュ部材の係止部が、当該メッシュ部材の周縁部付近から外側に向けて突出した爪部であり、枠部材の被係止部が内周側に突出した被係止片にする例が挙げられる。
ここで、メッシュ部材の周縁部付近と表現したのは、周縁よりの位置であればよく、周縁に限定しない趣旨である。
【０００７】
また、メッシュ部材は周縁部付近から垂下させた垂下片の先端部付近に前記爪部を有し、且つ当該爪部より外周側に載置リブを有し、枠部材は内周側から下方に向けて延在した垂下部を有し、当該垂下部の下部付近に内周側に突出した前記被係止片を有し、
メッシュ部材に設けた載置リブが枠部材の被係止片の上面側に載置し、メッシュ部材に設けた爪部が枠部材の被係止片の下面側に係止するようにすると、枠部材をトイレ本体から取り外す際に、メッシュ部材に設けた載置リブを枠部材の内周側に突出した被係止片で支持するので枠部材からメッシュ部材が外れることはなく、逆にメッシュ部材を枠部材から取り外す際には、枠部材を裏返にして、爪部の係りを解除すればよく、例えば枠部材を外側に広げるように撓ませるだけで、簡単にメッシュ部材を取り外すことができる。
【０００８】
爪部のたわみ代を大きくし、メッシュ部材の着脱性を向上するには、トイレ本体の周縁付近に設けた立設部と、当該立設部の内側に設けたシーツ載置部との間に、凹部を設けて、当該凹部の底面がシーツ載置部の上面より低くなるようにしてもよい。
このようにすると垂下片の内外方向の撓みによりメッシュ部材の係着が容易になるだけでなく、シーツにより凹部に位置する爪部が外側方向に押されることになり、メッシュ部材が枠部材にさらにしっかり固定される。
【０００９】
さらには、トイレ本体及び枠部材の外形は、平面視長辺と短辺との略矩形形状であり、メッシュ部材は枠部材の内周形状に対応した平面視略矩形形状で且つ長辺と短辺とにそれぞれ少なくとも１つ以上の係止部を有するようにすると、枠部材を裏返して長辺側の間隔を広げるようにするだけで、係止部の係りを解くことができる。
【発明の効果】
【００１０】
本発明に係るペット用トイレにおいて、トイレ本体の周縁付近に設けた立設部の内側にシーツを載置し、その上にメッシュ部材を配置する場合に、このメッシュ部材を枠部材に着脱自在に取り付けたので、トイレ本体から枠部材を取り外すだけでシーツの交換が可能であり、また逆に枠部材をトイレ本体に装着するだけでメッシュ部材をシーツの上に配置できる。
また、請求項２記載に係る発明のようにメッシュ部材の爪部を枠部材の被係止片に、はめ込むように係着する構造を採用すると、枠部材にメッシュ部材を取り付けるのも取り外すのも簡単であり、ペットのしつけが完了すると、メッシュ部材を枠部材から取り外すだけでそのままペット用トイレとして使用できる。
【００１１】
請求項３の記載に係る発明にあっては、枠部材をトイレ本体から取り外す際にメッシュ部材の周縁部付近に設けた載置リブが枠部材の内周側に設けた被係止片の上面に当接し、メッシュ部材が枠部材から外れるのを防止する。
【００１２】
請求項４の記載に係る発明にあっては、メッシュ部材の周縁部付近に爪部を設ける際に垂下片を形成し、その下部付近に爪部を設けてもその垂下片の長さを、トイレ本体に設けた凹部で吸収できるので爪部の撓み代を大きく取ることができる。
【００１３】
請求項５の記載に係る発明にあっては、枠部材も矩形形状となるので、その形状の変形を利用して、メッシュ部材の取り外しが簡単になる。
【図面の簡単な説明】
【００１４】
【図１】本発明に係るペット用トイレの構成図を示し、（ａ）のようにメッシュ部材を枠部材に取り付けて使用する場合と、（ｂ）のようにメッシュ部材を用いずにペット用トイレとして使用することもできる。
【図２】（ａ）は枠部材の外観斜視図、（ｂ）はトイレ本体の外観斜視図、（ｃ）はトイレ本体の平面図をそれぞれ示す。
【図３】ペット用トイレの部分平面図を示す。
【図４】ペット用トイレの部分断面図を示し、（ａ）は枠部材とメッシュ部材でシーツを固定した部分断面図、（ｂ）はＡ部拡大図を示す。
【図５】（ａ）はペット用トイレの爪部付近の部分断面斜視図を示し、（ｂ）はペット用トイレの固定突起部付近の部分断面斜視図を示す。
【図６】断面位置を示した部分平面図を示す。
【図７】メッシュ部材の説明図を示し、（ａ）は部分平面図、（ｂ）は部分拡大断面図、（ｃ）は部分裏面図をそれぞれ示す。
【図８】枠部材の被係止片（被係止部）の拡大図を示し、（ａ）は垂下部を内側から見た正面図、（ｂ）はその断面図を示す。
【発明を実施するための形態】
【００１５】
本発明に係るペット用トイレ１の構造例を以下、図面に基づいて説明するが、本発明の趣旨の範囲にて細部構造を変形してもよい。
ペット用トイレ１は、トイレ本体１０，枠部材２０及び枠部材２０に着脱自在に取り付けるメッシュ部材３０とからなり、トイレ本体１０のシーツ載置部１５に尿吸収性のシーツ４０を載置して使用する。
本発明に係るペット用トイレ１の特徴は、枠部材２０にメッシュ部材３０を着脱自在に取り付けた点にあり、図１（ａ）はメッシュ部材３０を枠部材２０に取り付けた状態を示し、図１（ｂ）はこのメッシュ部材３０を枠部材２０から取り外した状態を示す。
メッシュ部材３０は、図３に示すように、本実施例では格子部３２にて格子状に複数の隙間部３３を形成してある。
メッシュ部材３０は犬等のペットが排泄した尿等を隙間部３３から通過させて、その下に固定したシーツ４０に吸収させるともに、シーツが掻きむしられるのを防止するのが目的であり、本実施例のように格子状でなくてもよく、網目状や丸穴形状，ひし形形状等各種メッシュ形状を採用できる。
【００１６】
トイレ本体１０は、周縁付近に沿って上方に立設した立設部１１を有し、その内側にシーツ載置部１５を有する。
トイレ本体１０の外形形状に特に限定はないが、本実施例では長辺部１２と短辺部１３とからなる略矩形形状になっている。
立設部１１は、ペットがトイレとして認識できるようにするとともに尿等が外側に流れ出さないようにするためのものであり、必ずしもトイレ本体の周縁部全周にわたって、均一の高さにする必要はなく、部分的に凹部等が存在してもよい。
本実施例では、立設部１１の断面形状を内側立設部１１ａと外側立設部１１ｂとで略逆Ｕ字形状に形成し、図１に示すように対向する長辺部１２のそれぞれの外側立設片１１ｂに突出した係止突部１４を形成し、枠部材２０に設けた係止孔２４と係合するようになっている。
なお、トイレ本体１０の長辺部１２は、指先が入り込みやすいように切欠部１２ａを設けた例となっている。
トイレ本体１０は、図４に示すように、その内側のシーツ載置部１５との間にシーツ載置部１５の上面より底面が低い凹部１６を有する。
この凹部１６はシーツ載置部１５の外周に沿って形成され、凹部１６の底面には、所定間隔ごとに、枠部材２０とでシーツ４０を固定するための円錐状の固定突起部１７を有する。
枠部材２０は、トイレ本体１０の立設部１１の形状に合わせ、頂面部２１の外側下方に向けて延在する外延部２１ａと内側に垂下した垂下部２５を有する略逆Ｕ字断面形状からなる枠形状になっている。
【００１７】
枠部材２０は、図４及び図８に示すように、垂下部２５の下部付近から内周側に略水平方向に延在させた段差部を有する被係止片２６を有し、被係止片２６は先端部が下に折れ曲がりトイレ本体１０の凹部１６に位置したリブ２８を有し、さらにこの被係止片２６の裏面側にトイレ本体１０の固定突起部１７に対応した略円形形状の固定凹部２７を有する。
【００１８】
この被係止片２６は、後述するメッシュ部材３０の周縁部３１から垂下した垂下片３６の先端に設けた爪部３７を係止する目的と、この被係止片２６の上面側でメッシュ部材３０の載置リブ３５の下端を受ける目的を有する。
従って、被係止片２６は、枠部材の垂下部２５から略水平方向に延在した板状でもよいが、本実施例では、被係止片２６の先端側を下側に折り曲げて形成したリブ２８の一部を切り欠いて、被係止リブ２６ａを形成した例となっている。
メッシュ部材３０は周縁部３１から全周にわたって垂下した載置リブ３５を有し、この載置リブの内側に爪部３７を有する。
爪部３７は、枠部材の長辺部２２に沿って２ヶ所、短辺部２３に沿って２ヶ所に外側にやや傾けて垂下させ垂下片３６の先に外に向けて突出した形状になっている。
メッシュ部材３０の爪部３７は、垂下片３６が内側に撓むことで、枠部材２０の内側を下方向に通過し、外側に弾性復帰することで、枠部材２０の被係止リブ２６ａに係止する。
このときに、メッシュ部材３０の周縁部に形成した載置リブ３５が被係止片２６の上面に位置するようになっている。
これにより、メッシュ部材３０は枠部材２０に対して、載置リブ３５と爪部３７とにて係着することになり、対向する長辺部と短辺部に少なくとも１ヶ所以上、本実施例では各２ヶ所に爪部３７を有しているので、枠部材２０をトイレ本体１０から取り外してもメッシュ部材３０が枠部材２０から脱落することはない。
即ち、枠部材２０をトイレ本体１０から取り外す際に、対向する長辺部２２の間隔を広げるようにすることになるが、載置リブ３５が被係止片２６の上面に干渉することで外れなくなっている。
また、枠部材２０の長辺側の間隔を広げるようにトイレ本体から取り外す場合に枠部材２０の短辺側が内側に入り込むように変形するのでメッシュ部材が外れ落ちにくくなる。
さらには、犬等のペットが爪をメッシュ部材３０の格子部３２に引っかけて持ち上げようとしても、メッシュ部材の爪部３７が枠部材の被係止片２６の下面側（被係止リブ２６ａの下端部）に係止しているので持ち上がることはない。
逆にメッシュ部材３０を枠部材２０から取り外す場合には、枠部材２０を裏返しにして、枠部材２０の長辺部２２または短辺部２３の間隔を広げるようにするだけで、係着を解除することができる。
なお、本実施例では、メッシュ部材３０の周縁部３１に尿通過のための隙間部３３を設けてないが、メッシュ部材の全面に隙間部３３を設けてもよい。
【００１９】
メッシュ部材３０を枠部材２０に嵌め込んだ状態で図１（ａ）に示すように枠部材２０をトイレ本体１０に装着する。
また、枠部材２０をトイレ本体１０に装着した状態で、上部からメッシュ部材３０をこの枠部材２０に嵌め込むこともできる。
この際に、トイレ本体１０の立設部１１とシーツ載置部１５の間には、シーツ載置部１５の上面よりも下側に底面が位置する凹部１６を有するので、この部分にメッシュ部材３０の爪部３７が入り込むようになっている。
これにより、メッシュ部材３０に設けた爪部３７の垂下片３６の長さを長くすることができる。
また、後述するようにシーツにより外側に押圧され、爪部３７がさらに被係止リブ２６ａに係止しやすくなっている。
【００２０】
図５に基づいて、シーツ４０をトイレ本体１０に載置し、メッシュ部材３０又は枠部材２０、あるいは両方でシーツを固定した状態を説明する。
図５（ａ）は図６に示した部分平面図のＢ−Ｂ断面に対応した斜視図を示し、図５（ｂ）はＣ−Ｃ断面に対応した斜視図を示す。
シーツ４０をトイレ本体１０のシーツ載置部１５に載置する。
このときにシーツ４０の端部がトイレ本体１０の凹部１６にまで延在する大きさにすると、図４（ｂ）に示すように、凹部１６のシーツ載置側の側壁１６ａと垂下片３６の内側面との寸法をシーツ４０の厚み寸法より小さく設定してあり、図中に矢印Ｓで示したように垂下片３６が外側に押され、爪部３７が被係止リブ２６ａ側に寄せ付けられるので、より確実にメッシュ部材３０が枠部材２０に係止する。
シーツ４０は尿（水分）を吸収する前の新しいものであっては厚みが約１ｍｍ程度であるが、水分を吸収するにつれて、厚くなるものが多い。
シーツ４０が新しいうちは図７に示すようにメッシュ部材３０の裏面に所定間隔で縦横にクロス配置した押えリブ３４にて固定されていて、それ以外の部分においてはメッシュ部材３０の格子部３２の裏面とトイレ本体のシーツ載置部１５の上面との間に、新しいシーツの厚み以上の隙間を形成してあり、シーツが尿を吸収しやすいようになっている。
【符号の説明】
【００２１】
１      ペット用トイレ
１０    トイレ本体
１１    立設部
１２    長辺部
１３    短辺部
１５    シーツ載置部
１６    凹部
２０    枠部材
２１    頂面部
２５    垂下部
２６    被係止片
２６ａ  被係止リブ
３０    メッシュ部材
３１    周縁部
３２    格子部
３３    隙間部
３５    載置リブ
３６    垂下片
３７    爪部
４０    シーツ
【図１】
2010166872.tif 000003
【図２】
2010166872.tif 000004
【図３】
2010166872.tif 000005
【図４】
2010166872.tif 000006
【図５】
2010166872.tif 000007
【図６】
2010166872.tif 000008
【図７】
2010166872.tif 000009
【図８】
2010166872.tif 000010